(57)【特許請求の範囲】
【請求項１】
台車本体の下部に、車輪固定用ボルトのボルト頭部若しくはこの車輪固定用ボルトが螺着可能な車輪固定用ナットを回り止め状態にして脱落防止状態に収容可能な収容溝を設け、この収容溝は、台車本体の下側が開口する溝形状に形成して、この収容溝に前記車輪固定用ボルトのボルト頭部を収容することにより車輪固定用ボルトのボルト杆部が収容溝の下側開口部から突出するか、若しくはこの収容溝に前記車輪固定用ナットを収容することによりこの車輪固定用ナットに収容溝の下側開口部から車輪固定用ボルトのボルト杆部を螺着し得るように構成し、この収容溝から突出する前記車輪固定用ボルトのボルト杆部を利用して前記台車本体の下部に車輪部を固定するか、若しくは収容溝に収容した車輪固定用ナットに螺着する車輪固定用ボルトを利用して前記台車本体の下部に車輪部を固定したドーリー台車において、前記収容溝に、前記車輪固定用ボルトのボルト頭部若しくは前記車輪固定用ナットをこの収容溝より出し入れ可能な出入許容部を設けると共に、この出入許容部は、前記車輪部固定時に車輪固定用ボルトのボルト頭部若しくは前記車輪固定用ナットが位置している収容溝の車輪固定時収容位置から離れた位置に設けて、前記車輪固定時収容位置から前記ボルト頭部若しくは前記車輪固定用ナットを収容溝に沿って前記出入許容部にスライド移動させることにより出入許容部を介して前記ボルト頭部若しくは前記車輪固定用ナットを取り出しし得、且つ前記出入許容部から前記収容溝に収容した前記ボルト頭部若しくは前記車輪固定用ナットを収容溝に沿って前記車輪固定時収容位置にスライド移動し得るように構成したことを特徴とするドーリー台車。
【請求項２】
前記収容溝は、前記車輪固定用ボルトのボルト頭部若しくは前記車輪固定用ナットの外径寸法と略合致する溝幅を有すると共に、前記下側開口部の開口幅が前記ボルト頭部若しくは前記車輪固定用ナットの外径寸法より幅狭となる溝形状に形成することにより、この収容溝に前記ボルト頭部若しくは前記車輪固定用ナットを回り止め状態にして脱落防止状態で収容し得るように構成し、この収容溝の前記車輪固定時収容位置から離れた位置に、前記下側開口部の開口幅が前記ボルト頭部若しくは前記車輪固定用ナットの外径寸法より幅広となる幅広開口部を形成して、この幅広開口部を前記出入許容部としたことを特徴とする請求項１記載のドーリー台車。
【請求項３】
前記出入許容部としての幅広開口部は、前記台車本体の側面部にも開口する形状に形成して、この台車本体の側面部に開口する幅広開口部からも前記車輪固定用ボルトのボルト頭部若しくは前記車輪固定用ナットを出し入れ可能な構成としたことを特徴とする請求項２記載のドーリー台車。
【請求項４】
前記台車本体は、対向配置される一対の側部フレームを備えた構成として、この各側部フレームの端部に前記車輪部を固定し得るように構成し、この各側部フレームの長さ方向に沿って各側部フレームの下面に前記下側開口部を有する前記収容溝を設け、この各収容溝の、前記各側部フレームの端部から離れた位置に前記出入許容部を設けたことを特徴とする請求項１〜３のいずれか１項に記載のドーリー台車。
【発明の詳細な説明】
【技術分野】
【０００１】
本発明は、コンテナなどの運搬物を載せて運搬するドーリー台車に関するものである。
【背景技術】
【０００２】
一般的なドーリー台車は、左右フレームと前後フレームとが連結組成された方形枠状の台車本体の底部四隅に、旋回自在な車輪部（キャスター）が垂設状態に固定された構成である（例えば、下記特許文献１参照。）。
【０００３】
また、この台車本体への車輪部の固定構造は、前記左右フレーム若しくは前後フレームの下面に、この左右フレーム若しくは前後フレームの長さ方向に沿って下部開口型の収容溝が設けられると共に、この収容溝は、車輪固定用ボルトのボルト頭部を回り止め状態にして脱落防止状態に収容可能な溝形状に形成され、この収容溝に前記車輪固定用ボルトのボルト頭部を収容しつつ車輪固定用ボルトのボルト杆部を収容溝の下側開口部から垂下突出させて、この垂下突出する前記車輪固定用ボルトのボルト杆部を利用して車輪部がナット止め固定される構造である。
【先行技術文献】
【特許文献】
【０００４】
【特許文献１】登録実用新案第３１０７８７３号公報
【発明の概要】
【発明が解決しようとする課題】
【０００５】
この種のドーリー台車は、車輪部が損傷したり摩耗したりし易いため、車輪部の交換修理の頻度が非常に高い。
【０００６】
また、乱暴な取り扱いなどにより、車輪部だけでなく車輪固定用ボルトが損傷してしまうこともあり、損傷してしまった車輪固定用ボルトは交換が必要になる。
【０００７】
しかしながら、車輪固定用ボルトは、前記したように収容溝にボルト頭部が脱落防止状態で収容される構成のために、交換するためには台車本体の左右フレームと前後フレームを分解することで収容溝の端部を露出させて、この露出する収容溝の端部から車輪固定用ボルトを出し入れするようにしなければならず、かような台車本体のバラし作業を伴うことからこの車輪固定用ボルトの交換作業は容易ではなかった。
【０００８】
本発明は、このような従来のドーリー台車の車輪固定用ボルト交換時の問題点に鑑み、これを解決しようとするためのもので、台車本体をバラすことなく簡易な作業で車輪固定用ボルト若しくは車輪固定用ナットを交換可能となる実用的なドーリー台車を提供するものである。
【課題を解決するための手段】
【０００９】
添付図面を参照して本発明の要旨を説明する。
【００１０】
台車本体１の下部に、車輪固定用ボルト２のボルト頭部３若しくはこの車輪固定用ボルト２が螺着可能な車輪固定用ナット５を回り止め状態にして脱落防止状態に収容可能な収容溝６を設け、この収容溝６は、台車本体１の下側が開口する溝形状に形成して、この収容溝６に前記車輪固定用ボルト２のボルト頭部３を収容することにより車輪固定用ボルト２のボルト杆部４が収容溝６の下側開口部７から突出するか、若しくはこの収容溝６に前記車輪固定用ナット５を収容することによりこの車輪固定用ナット５に収容溝６の下側開口部７から車輪固定用ボルト２のボルト杆部４を螺着し得るように構成し、この収容溝６から突出する前記車輪固定用ボルト２のボルト杆部４を利用して前記台車本体１の下部に車輪部８を固定するか、若しくは収容溝６に収容した車輪固定用ナット５に螺着する車輪固定用ボルト２を利用して前記台車本体１の下部に車輪部８を固定したドーリー台車において、前記収容溝６に、前記車輪固定用ボルト２のボルト頭部３若しくは前記車輪固定用ナット５をこの収容溝６より出し入れ可能な出入許容部９を設けると共に、この出入許容部９は、前記車輪部８固定時に車輪固定用ボルト２のボルト頭部３若しくは前記車輪固定用ナット５が位置している収容溝６の車輪固定時収容位置Ｐから離れた位置に設けて、前記車輪固定時収容位置Ｐから前記ボルト頭部３若しくは前記車輪固定用ナット５を収容溝６に沿って前記出入許容部９にスライド移動させることにより出入許容部９を介して前記ボルト頭部３若しくは前記車輪固定用ナット５を取り出しし得、且つ前記出入許容部９から前記収容溝６に収容した前記ボルト頭部３若しくは前記車輪固定用ナット５を収容溝６に沿って前記車輪固定時収容位置Ｐにスライド移動し得るように構成したことを特徴とするドーリー台車に係るものである。
【００１１】
また、前記収容溝６は、前記車輪固定用ボルト２のボルト頭部３若しくは前記車輪固定用ナット５の外径寸法と略合致する溝幅を有すると共に、前記下側開口部７の開口幅が前記ボルト頭部３若しくは前記車輪固定用ナット５の外径寸法より幅狭となる溝形状に形成することにより、この収容溝６に前記ボルト頭部３若しくは前記車輪固定用ナット５を回り止め状態にして脱落防止状態で収容し得るように構成し、この収容溝６の前記車輪固定時収容位置Ｐから離れた位置に、前記下側開口部７の開口幅が前記ボルト頭部３若しくは前記車輪固定用ナット５の外径寸法より幅広となる幅広開口部９を形成して、この幅広開口部９を前記出入許容部９としたことを特徴とする請求項１記載のドーリー台車に係るものである。
【００１２】
また、前記出入許容部９としての幅広開口部９は、前記台車本体１の側面部にも開口する形状に形成して、この台車本体１の側面部に開口する幅広開口部９からも前記車輪固定用ボルト２のボルト頭部３若しくは前記車輪固定用ナット５を出し入れ可能な構成としたことを特徴とする請求項２記載のドーリー台車に係るものである。
【００１３】
また、前記台車本体１は、対向配置される一対の側部フレーム10を備えた構成として、この各側部フレーム10の端部に前記車輪部８を固定し得るように構成し、この各側部フレーム10の長さ方向に沿って各側部フレーム10の下面に前記下側開口部７を有する前記収容溝６を設け、この各収容溝６の、前記各側部フレーム10の端部から離れた位置に前記出入許容部９を設けたことを特徴とする請求項１〜３のいずれか１項に記載のドーリー台車に係るものである。
【発明の効果】
【００１４】
本発明は上述のように構成したから、収容溝に収容されている車輪固定用ボルト若しくは車輪固定用ナットの交換を要する場合には、収容溝に設けた出入許容部から収容溝に対し車輪固定用ボルトのボルト頭部若しくは車輪固定用ナットを出し入れして交換でき、従って従来までのドーリー台車とは異なり、車輪固定用ボルト若しくは車輪固定用ナットの交換作業を台車本体を分解することなく非常に容易に行うことができる極めて実用性に優れたドーリー台車となる。
【００１５】
また、請求項２記載の発明においては、車輪固定用ボルトのボルト頭部若しくは車輪固定用ナットを確実に回り止め状態にして脱落防止状態で収容し得る構成の収容溝を簡易に設計実現可能となると共に、車輪固定用ボルトのボルト頭部若しくは車輪固定用ナットを収容溝に対して確実に出し入れできる構成の出入許容部を簡易に設計実現可能となる一層実用性に優れた構成のドーリー台車となる。
【００１６】
また、請求項３記載の発明においては、台車本体の側方からも車輪固定用ボルト（のボルト頭部）若しくは車輪固定用ナットを出し入れして交換可能となる一層実用性に優れた構成のドーリー台車となる。
【００１７】
また、請求項４記載の発明においては、台車本体に対向配置される一対の側部フレームを具備する既存のドーリー台車に対して簡易に本発明を適用可能となる一層実用性に優れた構成となる。
【図面の簡単な説明】
【００１８】
【図１】本実施例を示す斜視図である。
【図２】本実施例の使用状態を示す斜視図である。
【図３】本実施例の車輪部の取付構造を示す部分拡大正断面図である。
【図４】本実施例の車輪部の取付構造を示す部分拡大平断面図である。
【図５】本実施例の車輪部を、台車本体から取り外した状態を示す部分拡大斜視図である。
【図６】図５に続いて、車輪固定用ボルトを出入許容部に向けてスライド移動させた状態を示す部分拡大平断面図である。
【図７】図６に続いて、出入許容部から車輪固定用ボルトを取り出した状態を示す部分拡大斜視図である。
【図８】本実施例の掛止部の取付構造を示す部分拡大分解斜視図である。
【発明を実施するための形態】
【００１９】
好適と考える本発明の実施形態を、図面に基づいて本発明の作用を示して簡単に説明する。
【００２０】
車輪固定用ボルト２若しくはこの車輪固定用ボルト２が螺着する車輪固定用ナット５が損傷するなどして交換が必要となった場合には、例えば、先ず車輪固定用ボルト２を利用して台車本体１の下部に固定されている車輪部８を取り外した後、収容溝６の車輪固定時収容位置Ｐに位置している車輪固定用ボルト２若しくは車輪固定用ナット５を、この収容溝６に沿って車輪固定時収容位置Ｐから離れた位置に設けられている出入許容部９にスライド移動させると、この出入許容部９を介して前記車輪固定用ボルト２（のボルト頭部３）若しくは前記車輪固定用ナット５を収容溝６から取り出すことができる。
【００２１】
次いで、交換用の車輪固定用ボルト２（のボルト頭部３）若しくは車輪固定用ナット５を出入許容部９から前記収容溝６に収容し、このボルト頭部３若しくは車輪固定用ナット５を収容溝６に沿って前記車輪固定時収容位置Ｐにスライド移動させると、この車輪固定時収容位置Ｐの下側開口部７から突出する車輪固定用ボルト２のボルト杆部４を利用して台車本体１の下部に車輪部８を固定し直すか、若しくは収容溝６の車輪固定時収容位置Ｐに収容した車輪固定用ナット５に螺着する車輪固定用ボルト２を利用して台車本体１の下部に車輪部８を固定し直すことができる。
【００２２】
従って、本発明によれば、車輪固定用ボルト２若しくは車輪固定用ナット５の交換に際して台車本体１を分解する必要がなく、出入許容部９から収容溝３に対し車輪固定用ボルト２のボルト頭部３若しくは車輪固定用ナット５を出し入れすることによって容易に交換可能である。
【実施例】
【００２３】
本発明の具体的な実施例について図面に基づいて説明する。
【００２４】
本実施例のドーリー台車は、図１に示すように、方形枠状の台車本体１の底部四隅に車輪部８を設けている。
【００２５】
また、台車本体１は、左右に対向配置した一対の側部フレーム10の両端部間に、この側部フレーム10より長さが短い第二フレーム13を架設状態に連結固定して構成した長方形枠状体とし、更にこの台車本体１の前後の第二フレーム13の長さ方向の中央部間に、載置用桟板16を架設固定した構成としている。図中符号17は側部フレーム10と第二フレーム13の連結部に被嵌固定してこの連結部を補強するコーナー部材、18はコーナー部材17を側部フレーム10の垂直板部11と第二フレーム13の垂直板部14に固定するためのリベットである。
【００２６】
また、側部フレーム10と第二フレーム13とは、断面略Ｌ字状の金属製長尺部材で構成し、本実施例では、この側部フレーム10の垂直板部11と第二フレーム13の垂直板部14とが外側に位置するようにして側部フレーム10と第二フレーム13とを連結し前記台車本体１を構成することにより、この台車本体１の外周縁部に存する前記各垂直板部11・14が、台車本体１上に載置した載置物Ｓの滑り落下を防止するように構成している。
【００２７】
また、図面では、第二フレーム13の水平板部15の上面に、側部フレーム10の水平板部12の下面を重合載置するようにして側部フレーム10（の水平板部12）と第二フレーム13（の水平板部15）とを連結固定した構成とし、前記載置用桟板16は、その両端部の下面を第二フレーム13の水平板部15の上面に重合載置するようにしてリベット22止めした構成としている。
【００２８】
また、本実施例の台車本体１は、前記前後の第二フレーム13に、載置物Ｓの荷崩れを防止するためのベルト31やロープなどを掛止可能な掛止部19を設けている（図２参照。）。
【００２９】
この掛止部19について具体的に説明すると、図８に示すように帯板状の取付板24に掛棒26が沿設状態に突設された構成としている。
【００３０】
また、この掛止部19の第二フレーム13への固定構造は、前記取付板24に設けた取付孔25と、前記第二フレーム13の水平板部15に設けた貫通孔23とにボルト27（六角ボルト27）を挿通してナット28（六角ナット28）で締付固定した構成としている。図中符号29は座金である。
【００３１】
また、この掛止部19は、ボルト27・ナット28の締付固定を解除することで第二フレーム13から取り外し可能な構成とし、この掛止部19にはベルト31などを介して載置物Ｓの大きな荷重が加わり易いが、仮にこの掛止部19が破損してもこの掛止部19だけを簡易に部品交換できるようにしている。
【００３２】
本実施例は、前記台車本体１を構成する各側部フレーム10の下面に、車輪固定用ボルト２としての六角ボルト２のボルト頭部３若しくはこの車輪固定用ボルト２が螺着可能な車輪固定用ナット５としての六角ナット５を回り止め状態にして脱落防止状態に収容可能な収容溝６を設け、この収容溝６は、台車本体１の下側が開口する溝形状に形成して、この収容溝６に前記車輪固定用ボルト２のボルト頭部３を収容することにより車輪固定用ボルト２のボルト杆部４が収容溝６の下側開口部７から突出するか、若しくはこの収容溝６に前記車輪固定用ナット５を収容することによりこの車輪固定用ナット５に収容溝６の下側開口部７から車輪固定用ボルト２のボルト杆部４を螺着し得るように構成し、この収容溝６から突出する前記車輪固定用ボルト２のボルト杆部４を利用して前記台車本体１の下部に前記車輪部８を固定するか、若しくは収容溝６に収容した車輪固定用ナット５に螺着する車輪固定用ボルト２を利用して前記台車本体１の下部に前記車輪部８を固定する構成としている。
【００３３】
具体的には、前記収容溝６は、前記車輪固定用ボルト２のボルト頭部３若しくは前記車輪固定用ナット５の外径寸法と略合致する溝幅を有すると共に、前記下側開口部７の開口幅が前記ボルト頭部３若しくは前記車輪固定用ナット５の外径寸法より幅狭となる溝形状に形成することにより、この収容溝６に前記ボルト頭部３若しくは前記車輪固定用ナット５を回り止め状態にして下方へ脱落防止状態で収容し得るように構成している。尚、本発明で言うボルト頭部３若しくは車輪固定用ナット５の外径寸法とは、六角形の対角距離寸法ではなく、対辺距離（所謂二面幅）寸法を意味している。
【００３４】
また、この収容溝６の下側開口部７は、その開口幅が車輪固定用ボルト２のボルト杆部４の外径寸法よりやや幅広となる形状に形成することにより、この下側開口部７に前記ボルト杆部４を挿通し得るように構成している。
【００３５】
即ち、本実施例の収容溝６は、図３，図５，図７に示すようなアリ溝形（内広溝形）に形成したもので、例えば側部フレーム10を押し出し成形することによってこの収容溝６を側部フレーム10に一体成形している。
【００３６】
また、この収容溝６は、一対の前記側部フレーム10の夫々の下面に、この側部フレーム10の長さ方向に沿って且つ側部フレーム10の一端から他端に至る長さのものを二条形成し、一つの前記車輪部８をこの二条の収容溝６と、複数（図面では四個）の車輪固定用ボルト２と車輪固定用ナット５を用いて固定する構成としている。
【００３７】
また、この一対の側部フレーム10下面の夫々の両端部に前記車輪部８を固定することで、台車本体１の底部四隅に車輪部８を固定した構成としている。
【００３８】
また、車輪部８は、前記側部フレーム10の下面に面接当接する方形状のベース板20を具備し、このベース板20の四隅に形成した取付穴21に四本の車輪固定用ボルト２を挿通してこのベース板20を側部フレーム10の両端部の下面と、この側部フレーム10の両端部の下方に重合している前記第二フレーム13の水平板部15の下面に締付固定し得る構成としている。
【００３９】
また、前記二条の収容溝６は、このベース板20の隅部の取付穴21の隣接間隔に略合致する間隔を介在するようにして形成し、前記車輪部８の固定位置において前記各取付穴21に対応する収容溝６位置（四箇所）を、車輪部８固定時に車輪固定用ボルト２若しくは車輪固定用ナット５が位置する車輪固定時収容位置Ｐとしている（図４，図５参照。）。
【００４０】
また、本実施例では、収容溝６に車輪固定用ボルト２のボルト頭部３を収容し、車輪固定時収容位置Ｐの下側開口部７から垂下突出する車輪固定用ボルト２のボルト杆部４を、車輪部８のベース板20の取付穴21に挿通した上でこのボルト杆部４の先端部に車輪固定用ナット５を螺着し、この車輪固定用ナット５を締付することによりベース板20を側部フレーム10の（水平板部12の）下面と第二フレーム13の（水平板部15の）下面とに締付固定して車輪部８を台車本体１の底部四隅に垂設状態に設けた構造としている。図中符号30は側部フレーム10の下面と第二フレーム13の下面との段差によってベース板20と側部フレーム10の下面との間に生じる隙間を解消するためのスペーサーである。尚、車輪固定用ナット５を収容溝６に収容してこの収容されている車輪固定用ナット５に螺着した車輪固定用ボルト２で車輪部８を締付固定するようにしても良い。
【００４１】
本実施例は、前記収容溝６に、前記車輪固定用ボルト２のボルト頭部３若しくは前記車輪固定用ナット５をこの収容溝６より出し入れ可能な出入許容部９を設けると共に、この出入許容部９は、前記車輪部８固定時に車輪固定用ボルト２のボルト頭部３若しくは前記車輪固定用ナット５が位置している収容溝６の前記車輪固定時収容位置Ｐから離れた位置に設けている。
【００４２】
具体的には、図４，図６に示すように、前記各側部フレーム10の長さ方向の中央側に存する収容溝６の前記車輪固定時収容位置Ｐから、更に側部フレーム10の中央側にボルト頭部３及び車輪固定用ナット５の外径寸法の１.５倍ほどの間隔を置いた位置の収容溝６を、この収容溝６の溝長さ方向と直交する外方に向けて切欠して、各側部フレーム10の側面部も、この側面部と前記下側開口部７との間に存する側部フレーム10の下面も開口する幅広開口部９を形成すると共に、この幅広開口部９は、前記車輪固定用ボルト２のボルト頭部３若しくは前記車輪固定用ナット５の外径寸法より幅広な開口形状に形成して、この幅広開口部９を前記ボルト頭部３若しくは前記車輪固定用ナット５が出入り可能な前記出入許容部９としている。
【００４３】
更に詳しくは、台車本体１の内側に存する収容溝６には、この台車本体１内側面となる側部フレーム10の内側面部が開口する前記幅広開口部９を形成し、台車本体１の外側に存する収容溝６には、この台車本体１外側面となる側部フレーム10の外側面部が開口する前記幅広開口部９を形成している。
【００４４】
従って、本実施例の出入許容部９は、台車本体１の下方からも側方からも前記車輪固定用ボルト２のボルト頭部３若しくは前記車輪固定用ナット５を出し入れ可能な構成としている。
【００４５】
従って、例えば、車輪固定用ボルト２若しくはこの車輪固定用ボルト２が螺着する車輪固定用ナット５が損傷するなどして交換が必要となった場合には、図５に示すように車輪固定用ボルト２と車輪固定用ナット５の締付を緩めて車輪部８を取り外した後、図６，図７に示すように前記車輪固定時収容位置Ｐから前記ボルト頭部３若しくは前記車輪固定用ナット５を収容溝６に沿って前記出入許容部９にスライド移動させることにより出入許容部９を介して前記ボルト頭部３若しくは前記車輪固定用ナット５を取り出でき、且つ前記出入許容部９から前記収容溝６に収容した前記ボルト頭部３若しくは前記車輪固定用ナット５を収容溝６に沿って前記車輪固定時収容位置Ｐにスライド移動して再び車輪部８を固定できるように構成している。
【００４６】
尚、本発明は、本実施例に限られるものではなく、各構成要件の具体的構成は適宜設計し得るものである。
【符号の説明】
【００４７】
１  台車本体
２  車輪固定用ボルト
３  ボルト頭部
４  ボルト杆部
５  車輪固定用ナット
６  収容溝
７  下側開口部
８  車輪部
９  出入許容部
10  側部フレーム
Ｐ  車輪固定時収容位置
【図１】
0005693490.tif 000002
【図２】
0005693490.tif 000003
【図３】
0005693490.tif 000004
【図４】
0005693490.tif 000005
【図５】
0005693490.tif 000006
【図６】
0005693490.tif 000007
【図７】
0005693490.tif 000008
【図８】
0005693490.tif 000009